(57)【要約】【課題】容器としての利用を終えると、まったく別の形に変形して再利用可能な容器を提供する。【解決手段】容器２０を二軸延伸ポリスチレンからカップ形に構成する。容器２０には不規則な模様２３が付されている。収納された食品を喫食した後に、この容器２０をオーブントースターに加熱する。容器２０は天板の上で軟化収縮してプレート型物品２０´に変形する。同時に模様２３も変化してうさぎの絵が現れる。これによりおもちゃとして再利用でき、容器２０の廃棄量の削減が図られる。カップ型からプレート型になり、かつ収縮によりコンパクトになり、しかも予想外の絵が現れるため、非常に面白みがある。こうして再利用する際に元の容器２０とはまったく異なる新たな価値が提供される。【選択図】図３
2010189014.tif 000002
【特許請求の範囲】
【請求項１】
二軸延伸プラスチックシートを成型してなる立体形状の包材であって、
平坦な台上で前記プラスチックの軟化温度で加熱すると軟化収縮してプレート型物品に変形可能な包材。
【請求項２】
プレート型物品に変形したときに規則的な図柄が現れるように、図柄が定められた請求項１に記載の立体形状の包材。
【請求項３】
プレート型物品に変形したときに規則的な形状が現れるように、形状が定められた請求項１に記載の立体形状の包材。
【請求項４】
前記プラスチックは、ポリスチレンである請求項１から３のいずれかに記載の立体形状の包材。
【請求項５】
二軸延伸プラスチックシートを成型してなる立体形状の包材を準備するステップと、
この包材を平坦な台上で前記プラスチックの軟化温度で加熱して軟化収縮させプレート型物品に変形させるステップと、を含むプレート型物品の製造方法。
【発明の詳細な説明】
【技術分野】
【０００１】
この発明は、二軸延伸プラスチック製の包材に関し、特に、包材としての使用を終えた後に、別の用途に再利用可能な包材に関する。
また、この発明は、上記包材から別の用途に再利用可能な物品を製造する製造方法に関する。
【背景技術】
【０００２】
弁当、惣菜、麺類、菓子等の包材である容器や蓋には、プラスチック製のものが広く用いられている。飲料の入った紙コップの蓋、弁当箱内のおかずの小分容器などについても同様にプラスチック製が多い。
【０００３】
これらの包材は、利用を終えると通常は廃棄される。近年、容器包装リサイクル法が制定され、リサイクルの促進が図られてはいるが、多くは資源としてのリサイクルにとどまり、ほとんど再利用（リユース）されていないのが現状である。
【０００４】
ここで包材の再利用の例として、ティッシュペーパーの紙箱にミシン目が囲まれる図柄を印刷し、箱としての利用を終えるとこの図柄を切り取ることで玩具として再利用する特許文献１がある。
また、合成樹脂などからなる食品容器の底に薄肉の凹部を設け、容器としての利用を終えると底の凹部を抜いて水抜き穴にし、植木鉢などとして再利用する特許文献２がある。
さらに、外箱に詰められた複数の小箱それぞれの外面に図柄の一部を付しておき、利用を終えて空き箱となった複数の小箱を組み合わせることで、一つの完成した図柄が表示されるパズルとして再利用する特許文献３がある。
【先行技術文献】
【特許文献】
【０００５】
【特許文献１】実開平７−１１５７８号公報
【特許文献２】実開昭６１−１２９７６６号公報
【特許文献３】特開平１０−１６７３４５号公報
【発明の概要】
【発明が解決しようとする課題】
【０００６】
しかし、特許文献１および２は、もとの包材に若干の加工を加えるだけで、ほとんど変わりばえのしない形状で再利用に供されるため、意外性がなく面白みがない。
特許文献３についても、もとの包材のまま転用しているにすぎず、意外性がなく面白みがないうえ、パズルとして遊ぶには複数の小箱が必要となり、単独の小箱では再利用が不可能である。
このように、従来は、包材をほとんどそのままの形状で再利用しているに過ぎず、その再利用物品として特有の新たな価値を提供するものではなかった。
【０００７】
そこでこの発明の解決すべき課題は、本来の包材としての利用を終えると、まったく別の形に変形して別用途に再利用可能な包材を提供することである。
【課題を解決するための手段】
【０００８】
上記課題を解決するため、この発明の包材を二軸延伸プラスチックから立体形状に構成し、この包材を平坦な台上で前記プラスチックの軟化温度で加熱すると、軟化収縮してプレート型物品に変形できるようにしたのである。
【０００９】
立体形状の包材を以上のように構成したので、包材としての利用を終えると上記のようにプレート型に変形させて他用途に再利用できる。
利用後の包材を加熱するだけで再利用できるため、包材の廃棄量の削減が図られ、また廃棄するとしても収縮するうえ平坦になるため、減容化が図られる。
上記のように、三次元形状が二次元形状になり、かつ収縮によりコンパクト化されるため、予想外の形状に変形して面白みがあり、再利用する際に元の包材とはまったく異なる新たな価値が提供される。
【００１０】
プレート型物品は、たとえばそのままおもちゃ、コースターとして用いられ、紐を通してペンダント、キーホルダー、ストラップとして用いることもできる。
なお、このような加熱は、家庭用オーブントースターなどにより手軽に行うことができる。
ここで包材とは、食品類等の商品を包装する物品の総称を意味し、蓋、容器が例示される。
【００１１】
このような包材が、プレート型物品に変形したときに、キャラクターや動植物の絵などの規則的な図柄が現れるように、図柄が定められているのが好ましい。
とくに、包材に不規則な図柄が付されており、加熱によりはじめて図柄の意味がわかるようにすると、インパクトが強く面白みが増す。
【００１２】
同様にこのような包材が、プレート型物品に変形したときに、キャラクターや動植物の形などの規則的な形状が現れるように、形状が定められているのが好ましい。
とくに、包材が不規則な形状であって、加熱によりはじめて意味有る形状が現れるようにすると、インパクトが強く面白みが増す。
たとえば包材を極端に凹凸のある形状とすると、変形前には変形後の形状の予測がつかず、面白みが一層増す。
【００１３】
なお、プレート型に変形したときに図柄や形状が規則的になるように予測して、包材が立体形状であるときに不規則な図柄や形状を付することは、コンピュータを用いたシミュレーションや手作業による実験により、容易に実現可能である。
ここで規則的な図柄、規則的な形状とは、その看者をして直ちに一定の概念を想起せしめる図柄、形状をいい、不規則な図柄、不規則な形状とは、その看者に一定の概念を想起せしめないような図柄、形状をいう。
【００１４】
さらに、包材に用いられるプラスチックとしては、ポリスチレンが好ましい。
剛性、透明性に優れ、着色が容易であること、加熱収縮後の寸法安定性に優れること、加熱収縮後の変形の度合いが大きく、インパクトが強いこと、などの理由からである。
【００１５】
この発明を方法的観点から考察すると、二軸延伸プラスチックシートを成型してなる立体形状の包材を準備するステップと、この包材を平坦な台上で前記プラスチックの軟化温度で加熱して軟化収縮させプレート型物品に変形させるステップと、を含むプレート型物品の製造方法であることが理解される。
【発明の効果】
【００１６】
発明にかかる包材を以上のように構成したので、再利用の際の面白みが増す。
【図面の簡単な説明】
【００１７】
【図１】第一の実施形態の蓋の（ａ）は斜視図、（ｂ）は（ａ）の矢印断面図
【図２】第一の実施形態のプレート型物品の（ａ）は平面図、（ｂ）は断面図
【図３】第二の実施形態の（ａ）は容器の斜視図、（ｂ）はプレート型物品の斜視図
【発明を実施するための形態】
【００１８】
以下、図面を参照しつつ、この発明の実施形態について説明する。発明にかかる包材として第一の実施形態では蓋を、第二の実施形態では容器を例示する。
【００１９】
図１に示す第一の実施形態の蓋１０は、弁当容器Ｃに被せて用いられる。
図示のようにこの蓋１０は、弁当容器Ｃの開口を閉塞する本体１１と、本体１１の外縁から垂下する嵌合部１２と、を有する。
本体１１は、象をディフォルメした形状に立体的に盛り上がる模造部１１ａを有し、この模造部１１ａには着色がなされている。
また嵌合部１２は、蓋１０を弁当容器Ｃに被せた際に、蓋１０が外れないように弁当容器Ｃのフランジに嵌め合わされるようになっている。
さらに、嵌合部１２の下縁からは、本体１１とほぼ平行にタブ１３が延出し、このタブ１３には円孔１３ａが形成されている。
【００２０】
この蓋１０は、二軸延伸ポリスチレンシート（ＯＰＳシート）を真空成型機、圧空成型機、熱板成型機などの通常の成型機により成型してなる。
ＯＰＳシートの延伸倍率は特に限定されないが、たとえば幅方向に３倍、送り方向に３倍である。
またＯＰＳシートの厚みは特に限定されないが、たとえば０．１ｍｍ〜０．５ｍｍである。
【００２１】
この蓋１０は、弁当容器Ｃに詰められた食品の喫食が終わると不要となる。
その蓋１０をたとえば家庭に持ち帰り、家庭用オーブントースターの天板に載せ、所定の温度（たとえば１２０℃前後）、すなわちＯＰＳの軟化温度で加熱する。
すると、蓋１０全体が軟化して自重により天板に沿って平らになる。すなわち、本体１１、嵌合部１２、タブ１３は平坦に一体になる。
これとともに延伸倍率に相当する分だけ縦横に収縮し、厚みが増す。たとえば延伸倍率が３×３の９倍であると、平面視で約１／９の大きさになる。
【００２２】
こうして図２のように、蓋１０は象の模様が付されたプレート型物品１０´へと変形する。
このとき、蓋１０の円孔１３ａも収縮して紐孔１３ａとなり、プレート型物品１０´に紐を通して首から掛けてペンダントとして用いたり、キーホルダーやストラップとして用いたりすることができる。
このように、立体的な蓋１０を加熱するだけで平面的にかつコンパクトに変形するため、変形前には変形後の形状が予想できず、非常に面白みがある。
【００２３】
ここでＯＰＳシートの延伸倍率、厚みは実際の蓋１０の成型具合により適宜調節される。またＯＰＳシートの厚みは、薄いほど加熱変形の時間が短縮できる一方、薄すぎると加熱変形後の用途が限定されてしまうため、０．２５ｍｍ前後であるのが好ましい。
【００２４】
この蓋１０を用いてたとえば以下のようなビジネスを行うことができる。
すなわち、まず遊園地等のレストランで前記弁当容器Ｃに食品を詰めて蓋１０をした弁当を提供する。喫食を終えた入園者は、弁当容器Ｃは捨て、蓋１０のみを所持しておく。
そして、遊園地の出口にオーブントースターを設置し、入園者が帰る際に係員に蓋１０を渡して専用の代金を支払うと、蓋１０をオーブントースターで加熱してもらえる。
係員はできあがったプレート型物品１０´に紐を通し、入園者に渡す。こうして、入園者はプレート型物品１０´を遊園地のお土産として家に持ち帰る。
これをまとめると、係員の行為は、対価の支払いを条件とした、蓋１０を準備するステップと、蓋１０をオーブントースターで加熱して軟化収縮させプレート型物品１０´に変形させるステップと、を含むプレート型物品１０´の製造方法の実施である。
【００２５】
つぎに図３（ａ）に示す第二の実施形態の容器（カップ）２０は、菓子類、おかずなどの収納、小分けに用いられる。
この容器２０は平坦な底２１と、底２１から広がって立ち上がる側壁２２と、を有し、第一の実施形態と同様にＯＰＳシートからなる。
側壁２２は周方向にジグザグ形に形成されており、底２１から側壁２２に連続して模様２３が付されている。
この容器２０は、たとえば花びら型の金型を用いて従来の熱板圧空成型機により成型する。
【００２６】
この容器２０を第一の実施形態と同様に、オーブントースターの天板に載せ、所定の温度下で加熱すると、変形収縮して底２１と側壁２２が平坦に一体になり、図３（ｂ）に示すプレート型物品２０´になる。
容器２０に付された模様２３も容器２０の変形収縮に従って変化し、その結果プレート型物品２０´には図示のようなうさぎをディフォルメした模様２３が現れる。変形前には模様の意味がわからないため、非常に面白みがある。
このプレート型物品２０´は、たとえばそのままおもちゃとして用いられる。
【００２７】
このように容器２０の状態では模様の意味がわからず、プレート型物品２０´に変形してはじめて模様の意味がわかるようにデザインするには、たとえば以下の方法が用いられる。
まず、方眼目を印刷したＯＰＳシートを容器に成型し、容器の方眼の目により寸法設定して模様を施し、加熱して模様の変化、収縮の度合いを調べる。
こうして模様を決定し、それを定位置印刷して実際の量産品を生産する。印刷をあわせる手段としては、たとえばシートの一部にマーキングを施し、その位置を光電管で検出することによる。
【００２８】
以上の実施形態では、二軸延伸するプラスチック材料としてポリスチレンを例示したが、これに限定されず、ポリエステル（ＰＥＴ）、ポリエチレン（ＰＥ）、ポリプロピレン（ＰＰ）などでもよい。
また包材に付す模様は、実施形態に限定されず、たとえばプレート型物品に加熱収縮させると、著名なキャラクターが現れるようにしてもよい。
【符号の説明】
【００２９】
１０  第一の実施形態の蓋
１０´  プレート型物品
１１  本体
１１ａ  模造部
１２  嵌合部
１３  タブ
１３ａ  円孔（紐孔）
２０  第二の実施形態の容器
２０´  プレート型物品
２１  底
２２  側壁
２３  模様
Ｃ  容器
Ｓ  紐
【図１】
2010189014.tif 000003
【図２】
2010189014.tif 000004
【図３】
2010189014.tif 000005